(57)【要約】【課題】電気回路装置を収容する立方体の本体と、この本体の前面開口を開閉する扉で筐体を構成し、本体の前面開口周縁に密着する環状パッキンを扉の裏面周縁部に設け、これによって本体の前面開口を塞ぐ方式において、雨水が本体と扉の隙間から侵入し、環状パッキンの上辺の上側面に付着した水滴が、扉を開いた際の振動等によって本体の前面開口から侵入し、本体内の電気回路装置の漏電やショート等の故障の原因になる虞がある。本発明はこれを解決する。【解決手段】扉は、前壁の周縁部を巡るように上壁、下壁、左壁及び右壁を備え、環状パッキンは、上壁、下壁、左壁及び右壁に沿って前壁の裏面に貼り付け保持され、且つ、環状パッキンの上辺の上側面が扉の上壁の裏側に接する状態であること。【選択図】  図６
2017117818.tif 000002
【特許請求の範囲】
【請求項１】
電気回路装置を収容する前面開口の本体と、前記前面開口を開閉する扉を備え、前記本
体の前記前面開口周縁を前記扉の前壁の裏面周縁部に設けた環状パッキンで塞ぐ筐体にお
いて、
前記扉は、前記前壁の周縁を巡るように上壁、下壁、左壁及び右壁を備え、前記環状パ
ッキンは、前記上壁、下壁、左壁及び右壁に沿って前記前壁の裏面に貼り付け保持され、
且つ、前記環状パッキンの上辺が前記上壁の裏側に接する状態であることを特徴とする電
気回路装置の収容用筐体。
【請求項２】
前記扉は、前記左壁または前記右壁が前記本体にヒンジにて開閉可能に支持され、前記
ヒンジ側を除く前記左壁または前記右壁と、前記上壁及び前記下壁のそれぞれの後端に前
記前壁に並行する内向きの扉フランジを備え、
前記前面開口周縁には、前方へ突出し前端に前記環状パッキンに密着する密着部を有す
る環状フランジを備え、
前記前面開口を前記扉が閉じた正規状態において、前記密着部が前記環状パッキンの上
辺に密着する状態で、前記密着部が前記上壁、下壁、左壁及び右壁で覆われ、前記扉フラ
ンジが前記密着部の後方位置となる
ことを特徴とする請求項１に記載の電気回路装置の収容用筐体。
【請求項３】
前記環状パッキンは、上辺の幅が他の辺の幅よりも広く、前記前面開口を前記扉が閉じ
た正規状態において、前記密着部が前記環状パッキンの上辺の下の部分に食い込み状態と
なることを特徴とする請求項２に記載の電気回路装置の収容用筐体。
【発明の詳細な説明】
【技術分野】
【０００１】
本発明は、電気回路装置を収容する本体の前面開口を扉で開閉する構成の電気回路装置
の収容用筐体に関する。
【背景技術】
【０００２】
筐体内に収容する電気回路装置の一つとして、太陽電池が発電する直流電力を交流電力
に変換する直交変換回路と、この直交変換回路を構成するパワーモジュール（発熱性の半
導体スイッチング素子）を取り付けたヒートシンクなどで構成した太陽光発電システム用
の電力変換回路があり、この電力変換回路を筐体に収容した電力変換装置（パワーコンデ
ィショナと称する）が知られている（特許文献１）。
【先行技術文献】
【特許文献】
【０００３】
【特許文献１】特開２００９−１６４３５１号公報
【発明の概要】
【発明が解決しようとする課題】
【０００４】
電気回路装置を筐体内に収容したパワーコンディショナを家屋の所要箇所に設置する場
合、即ち、パワーコンディショナを家屋の外壁に取り付ける屋外設置式とする場合や、野
立ての架台に取り付ける野立式とする場合、風雨に晒されるため、パワーコンディショナ
内に雨水や塵埃が浸入しないようにすることが重要であり、また、パワーコンディショナ
のメンテナンス等をし易くすることが重要である。
【０００５】
従来技術においては、電気回路装置を収容する立方形状の本体と、この本体の前面開口
を開閉する扉で筐体を構成し、本体の前面開口周縁に密着する環状パッキンを扉の裏面周
縁部に設け、これによって本体の前面開口を塞ぐ方式がある。
この場合、環状パッキンを扉の裏面周縁部に両面接着テープ等によって接着保持するが
、その接着作業がし易いように、環状パッキンを扉の上壁、下壁、左壁及び右壁から少し
離れた位置で、前記前壁の裏面に貼り付ける。
【０００６】
このように、本体の前面開口を環状パッキンで塞ぐ方式とした場合、扉を閉じたとき本
体と扉とが衝突しないようにするために、本体と扉との間には若干の隙間が存在する。こ
の隙間の投影位置は環状パッキンの外周領域（環状パッキンと扉の上壁、下壁、左壁及び
右壁と間の位置）に相当することになる。
このため、風雨の激しいとき等では、雨水がこの本体３１と扉４１の隙間ＳＳから侵入
し、図９に示すように、環状パッキン１１１の上辺１１１Ａの上側面１１１Ｔに水滴が付
着する場合がある。この水滴が、扉４１を開いた際の振動等によって本体３１の前面開口
ＦＦから侵入し、本体３１内の電気回路装置に掛かり、電気回路装置の漏電やショート等
の故障の原因になる虞がある。
【０００７】
この場合、本体内の電気回路装置に水滴が掛からないようにするために、電気回路装置
をカバー板で完全に覆うことができるが、このカバー板の面倒な取り付け作業や、コスト
アップ等を来たし、好ましい対策ではない。
【０００８】
本発明は、このような点に鑑み、電気回路装置を収容する前面開口の本体と、この前面
開口を開閉する扉で筐体を構成し、本体の前面開口周縁を扉に設けた環状パッキンで塞ぐ
方式において、環状パッキンの上辺の上側面に水滴が載らない構成で以って、本体の前面
開口は環状パッキンで確実に塞ぎ、上記のような故障の原因とならない技術を提供するも
のである。
【課題を解決するための手段】
【０００９】
本発明は、電気回路装置を収容する前面開口の本体と、前記前面開口を開閉する扉を備
え、前記本体の前記前面開口周縁を前記扉の前壁の裏面周縁部に設けた環状パッキンで塞
ぐ筐体において、前記扉は、前記前壁の周縁を巡るように上壁、下壁、左壁及び右壁を備
え、前記環状パッキンは、前記上壁、下壁、左壁及び右壁に沿って前記前壁の裏面に貼り
付け保持され、且つ、前記環状パッキンの上辺が前記上壁の裏側に接する状態であること
を特徴とする。
【００１０】
前記扉は、前記左壁または前記右壁が前記本体にヒンジにて開閉可能に支持され、前記
ヒンジ側を除く前記左壁または前記右壁と、前記上壁及び前記下壁のそれぞれの後端に前
記前壁に並行する内向きの扉フランジを備え、前記前面開口周縁には、前方へ突出し前端
に前記環状パッキンに密着する密着部を有する環状フランジを備え、前記前面開口を前記
扉が閉じた正規状態において、前記密着部が前記環状パッキンの上辺に密着する状態で、
前記密着部が前記上壁、下壁、左壁及び右壁で覆われ、前記扉フランジが前記密着部の後
方位置となることを特徴とする。
【００１１】
前記環状パッキンは、上辺の幅が他の辺の幅よりも広く、前記前面開口を前記扉が閉じ
た正規状態において、前記密着部が前記環状パッキンの上辺の下半部の部分に食い込み状
態となることを特徴とする。
【発明の効果】
【００１２】
本発明によれば、環状パッキンは、環状パッキンの上辺の上側面が扉の上壁の裏側に密
着する状態で、扉の上壁、下壁、左壁及び右壁に沿って前壁の裏面に貼り付け保持される
ため、扉と本体との隙間から侵入する雨水が、環状パッキンの上辺の上側面に載ることが
ない。このため、従来のように扉を開いたときに水滴が本体の前面開口から侵入すること
がなく、本体内の電気回路装置の漏電やショート等の故障の原因になることもない。
【００１３】
また本発明によれば、環状パッキンの上辺の上側へ環状フランジの密着部が当たらない
ため、扉を閉じた状態で密着部が環状パッキンを押すときの作用力によって、環状パッキ
ンの上辺の上側面が扉の上壁の裏側から剥がれる作用を受け難く、環状パッキンの上辺の
上側面と扉の上壁との密着を維持できることとなる。
更に、密着部が上壁、下壁、左壁及び右壁で覆われ、扉フランジが密着部の後方位置と
なるため、扉フランジと本体との隙間から侵入する雨水は、環状パッキンの上辺の上端へ
向かうことが抑制され、環状パッキンの上辺への水滴付着を抑制でき、扉を開いたときに
水滴が本体内へ侵入することを防止できる。
【００１４】
また、本発明は、環状パッキンは、上辺の幅が他の辺の幅よりも広く、前面開口を扉が
閉じた正規状態において、環状フランジの密着部が環状パッキンの上辺の下側の部分に食
い込み状態となるため、扉フランジと本体との隙間から侵入する雨水は、環状パッキンの
上辺の上端へ向かうことが抑制され、環状パッキンの上辺への水滴付着を抑制でき、環状
パッキンによる前面開口のシールが、より一層十分となる。
【図面の簡単な説明】
【００１５】
【図１】本発明の実施形態に係る電力変換装置の扉を開けたときの状態を示す正面斜視図である。
【図２】環状パッキンの斜視図である。
【図３】環状パッキンの正面図である。
【図４】環状パッキンの断面図である。
【図５】本体と扉の部分の断面による説明図である。
【図６】図５における本体と扉の上部を拡大した説明図である。
【図７】本発明の他の実施形態に係る本体と扉の上部を拡大した説明図である。
【図８】電力変換装置を建物に取り付けた状態の側面図である。
【図９】従来技術の本体と扉の部分の断面による説明図である。
【発明を実施するための形態】
【００１６】
本発明は、電気回路装置を収容する前面開口の本体と、前記前面開口を開閉する扉を備
え、前記本体の前記前面開口周縁を前記扉の前壁の裏面周縁部に設けた環状パッキンで塞
ぐ筐体において、
前記扉は、前記前壁の周縁を巡るように上壁、下壁、左壁及び右壁を備え、前記環状パ
ッキンは、前記上壁、下壁、左壁及び右壁に沿って前記前壁の裏面に貼り付け保持され、
且つ、前記環状パッキンの上辺が前記上壁の裏側に接する状態である。
以下に、本発明に係る電気回路装置の収容用筐体の実施例を図に基づき説明する。
【００１７】
本発明の一実施形態に係る電力変換装置１は、パワーコンディショナと称するものであ
り、本体３と扉４によって筐体２を構成し、太陽光などの再生可能エネルギーから得られ
る直流電力を商用電力系統へ重畳可能な交流に変換する電力変換回路を構成する電気回路
装置を本体３内に収容するものである。
【００１８】
本体３は、上壁３Ａ、下壁３Ｂ、左壁３Ｃ、右壁３Ｄ、及び背壁３Ｅで囲まれる立方形
状の箱を構成し、矩形状の前面開口３Ｆを有する。扉４は、本体３の前面開口３Ｆを覆う
ように、本体３の前面形状に合わせた形態であり、所定厚さでもって前面視で矩形状の形
態をなす。扉４は、本体３の一側部（右側部または左側部）にヒンジ装置５によって開閉
自在に取り付けられ、ロック装置６によって本体３に施錠される構成である。図１には、
扉４が本体３の右側部にヒンジ装置５によって開閉自在に取り付けられている。
【００１９】
図１に示すように、扉４を開けたとき、前記の電気回路装置に人が触れれば危険である
ため、その防止策として、前記の電気回路装置を着脱自在なカバー板７Ａ、７Ｂで覆って
いる。カバー板７Ａ、７Ｂで覆った状態で、前記の電気回路装置の動作状態が視認できる
表示器８が、カバー板７Ａの窓９に臨む。本体３の左壁３Ｃ及び右壁３Ｄには、前記の電
気回路装置の冷却のための空気取り入れ部１５を備える。
【００２０】
電力変換装置１は、図８に示すように、本体３の背壁３Ｅが建物Ｋの外壁に沿って縦方
向配置となるように、本体３の後部に設けた取り付け部１６でもって建物Ｋの外壁に取り
付けられる。なお、電力変換装置１は、建物Ｋの外壁付近に設けた架台に載置する取り付
けであってもよい。
【００２１】
図１に示すように、本体３の前面開口３Ｆを扉４によって水密状態に閉塞するために、
矩形状の前面開口３Ｆの周縁を巡る矩形状の環状フランジ１０と、扉４の裏面が矩形状の
環状パッキン１１を介して密着する。実施例では、扉４を閉じた正規状態において、扉４
の裏面周縁部に取り付けた環状パッキン１１が、環状フランジ１０の前面に密着すること
によって水密状態を達成している。
【００２２】
環状パッキン１１は、上辺１１Ａ、下辺１１Ｂ、左辺１１Ｃ及び右辺１１Ｄが一体成型
された形態でもよいが、製作のし易さ等を考慮して、実施例では、図２及び図３に示すよ
うに、上辺１１Ａ、下辺１１Ｂ、左辺１１Ｃ及び右辺１１Ｄがそれぞれ別体で構成され、
これらが矩形状をなすように組み合わせ接続されて、環状パッキン１１を構成する。
【００２３】
その組み合わせ構造は、図２及び図３に示すように、それぞれ上辺１１Ａ及び下辺１１
Ｂの左右端部に形成した係合凹部１２Ａに対し、それぞれ左辺１１Ｃ及び右辺１１Ｄの上
下端部に突出形成した係合凸部１２Ｂが係合することにより、全体として矩形状の環状パ
ッキンを構成する。
【００２４】
図５及び図６に示すように、前面開口３Ｆの周縁を巡る矩形状の環状フランジ１０は、
本体３の前面から前方へ突出し、その前端に外方向へ略直角に屈曲した平面状の密着部１
０Ａを形成し、この密着部１０Ａに環状パッキン１１が密着する。
【００２５】
図３及び図４に示すように、環状パッキン１１は、上辺１１Ａ、下辺１１Ｂ、左辺１１
Ｃ及び右辺１１Ｄが所定の厚さｔを有し、上辺１１Ａの幅Ｈ１が、他の下辺１１Ｂ、左辺
１１Ｃ及び右辺１１Ｄの幅Ｈ２よりも広く、実施例ではＨ１がＨ２の略２倍である。
【００２６】
扉４は、図１、図５及び図６に示すように、前壁４Ｐの周縁部を巡るように上壁４Ａ、
下壁４Ｂ、左壁４Ｃ及び右壁４Ｄを備え、それらの後端には、ヒンジ装置５が取り付けら
れる側を除き、前壁４Ｐに並行するように内向きに略直角に屈曲した扉フランジ４Ｈを形
成する。実施例では、図１に示すように、扉フランジ４Ｈはヒンジ装置５が取り付けられ
る側である右壁４Ｄ以外の上壁４Ａ、下壁４Ｂ及び左壁４Ｃの後端に屈曲形成している。
このように、扉フランジ４Ｈはヒンジ装置５側である右壁４Ｄには存在しないため、扉
４の下壁４Ｂの扉フランジ４Ｈの右端は解放されており、この部分が後述の排水部１４と
なる。
【００２７】
図１に示すように、環状パッキン１１は、扉４の上壁４Ａ、下壁４Ｂ、左壁４Ｃ及び右
壁４Ｄに沿って、前壁４Ｐの裏面に接着剤や両面接着テープ等で貼り付け保持される。こ
の場合、環状パッキン１１の下辺１１Ｂ、左辺１１Ｃ及び右辺１１Ｄは、図５に示すよう
に、それぞれ対応する扉４の下壁４Ｂ、左壁４Ｃ及び右壁４Ｄから若干離れた状態の配置
でよいが、環状パッキン１１の上辺１１Ａは、図５及び図６に示すように、その上側面１
１Ｔが上壁４Ａの裏側に接する状態である。
【００２８】
図７は、本発明の他の実施形態に係る本体３と扉４の上部を拡大した説明図である。図
５及び図６に示す形態と異なるところは、環状パッキン１１の上辺１１Ａは、扉４の上壁
４Ａの裏面に接するように長く延長された形態であり、環状パッキン１１の上辺１１Ａの
上側面１１Ｔが、この延長された部分で形成される。その他の箇所は、図５及び図６に示
す形態と同じであるため、同じ符号で示す。
【００２９】
前面開口３Ｆを扉４が閉じロック装置６でロックした正規状態において、図５及び図６
に示すように、環状フランジ１０の全周において、密着部１０Ａが環状パッキン１１の上
辺１１Ａ、下辺１１Ｂ、左辺１１Ｃ及び右辺１１Ｄに若干食い込み状態となる。また、環
状パッキン１１の上辺１１Ａにおいては、密着部１０Ａが環状パッキン１１の上辺１１Ａ
の下半部の部分に密着する。この状態で、密着部１０Ａが扉４の上壁４Ａ、下壁４Ｂ、左
壁４Ｃ及び右壁４Ｄで覆われ、扉フランジ４Ｈが密着部１０Ａの後方位置となる。
【００３０】
前面開口３Ｆを扉４が閉じロック装置６でロックした正規状態において、環状フランジ
１０の外側に位置する本体３の前面３Ｐと扉フランジ４Ｈとの間には、若干の隙間Ｓが形
成される。これは、本体３の前面３Ｐと扉フランジ４Ｈは衝突することによって、その箇
所が損傷しないためである。
【００３１】
電力変換装置１が、建物Ｋの外壁または架台に取り付け、風雨に晒される状態において
、隙間Ｓから雨水が侵入した場合、環状パッキン１１の上辺１１Ａは、その上側面１１Ｔ
が上壁４Ａの裏側に接する状態であるため、この上側面１１Ｔに水滴が付着することはな
く、従来のような問題は解決される。また、図７に示すように、環状パッキン１１の上辺
１１Ａの延長部が、扉４の上壁４Ａの裏面に接しつつ、更にその延長部の先端が扉フラン
ジ４Ｈの裏面に接する状態とすれば、環状パッキン１１の上辺１１Ａの上側面１１Ｔへ水
滴が付着することをより一層防止できるため、従来のような問題は解決される。
【００３２】
電力変換装置１が、建物Ｋの外壁または架台に取り付け、風雨に晒される状態において
、隙間Ｓから雨水が侵入した場合、その雨水は、扉フランジ４Ｈの存在によって、環状パ
ッキン１１の上辺１１Ａの上側面１１Ｔに侵入し難い状態である。万一この上側面１１Ｔ
に雨水が侵入しようとしても、環状パッキン１１の上辺１１Ａは前壁４Ｐの裏面に接着し
、且つ上側面１１Ｔが上壁４Ａの裏側に接しているため、その雨水は上側面１１Ｔに至ら
ず、流下して密着部１０Ａ、環状フランジ１０、本体３の前面３Ｐで形成される溝１３に
よって本体３の左右側を通って下部へ流下し、そのまま筐体２の外へ流出する。また、扉
４の下部には前壁４Ｐ、下壁４Ｂ及び扉フランジ４Ｈで扉側溝Ｍが形成されるため、溝１
３の雨水が扉側溝Ｍに流入しても、扉４の下壁４Ｂの右端の排水部１４から筐体２の外へ
流出される。
【００３３】
このように、環状パッキン１１の上辺１１Ａの上側面１１Ｔが扉４の上壁４Ａの裏側に
密着する状態で、扉４の上壁４Ａ、下壁４Ｂ、左壁４Ｃ及び右壁４Ｄに沿って前壁４Ｐの
裏面に貼り付け保持されるため、扉４と本体３の前面３Ｐとの隙間Ｓから侵入する雨水が
、環状パッキン１１の上辺１１Ａの上側面１１Ｔに載ることがない。このため、従来のよ
うに扉４を開いたときに水滴が本体３の前面開口３Ｆから侵入することがなく、本体３内
の電気回路装置の漏電やショート等の故障の原因になることもない。
【００３４】
また、本発明の環状パッキン１１は、上辺１１Ａの幅Ｈ１が他の辺の幅Ｈ２よりも広く
、前面開口３Ｆを扉４が閉じた正規状態において、環状フランジ１０の密着部１０Ａが環
状パッキン１１の上辺１１Ａの下半部の部分に密着する。このため、扉フランジ４Ｈと本
体３の前面３Ｐとの隙間Ｓから侵入する雨水のうち、環状フランジ１０によって跳ね返る
水滴は、密着部１０Ａの上方の環状パッキン１１の上辺１１Ａの上部裏面に衝突すること
により、環状パッキン１１の上辺１１Ａの上側面１１Ｔへ向かうことが抑制され、環状パ
ッキンによる前面開口のシールが、より一層十分となる。
【符号の説明】
【００３５】
１・・・・・電力変換装置
２・・・・・筺体
３・・・・・本体
３Ｆ・・・・前面開口
４・・・・・扉
４Ａ・・・・扉の上壁
４Ｈ・・・・扉フランジ
４Ｐ・・・・扉の前壁
５・・・・・ヒンジ装置
１０・・・・環状フランジ
１０Ａ・・・密着部
１１・・・・環状パッキン
１１Ａ・・・環状パッキンの上辺
１１Ｔ・・・上辺の上側面
Ｓ・・・・・隙間
Ｋ・・・・・建物
【図１】
2017117818.tif 000003
【図２】
2017117818.tif 000004
【図３】
2017117818.tif 000005
【図４】
2017117818.tif 000006
【図５】
2017117818.tif 000007
【図６】
2017117818.tif 000008
【図７】
2017117818.tif 000009
【図８】
2017117818.tif 000010
【図９】
2017117818.tif 000011